(57)【要約】  移動通信システムと、移動通信分野のシステムにおける、近隣の干渉抑制方法および基地局ノードとを開示する。本発明において、基地局ノードにより、ユーザ機器に対して確立される、非担当のワイヤレスリンクにおいて、ユーザ機器に対する制御レベルのリンクのみを確立することと、確立されたアップリンクチャネルを通して、ゾーンのアップリンク負荷に対するユーザ機器の寄与を推定して、近隣のユーザ機器のアップリンク負荷の寄与を予期することと、確立されたダウンリンクチャネルを通して、推定の結果にしたがって、ユーザ機器の送信電力を制御することとにより、オーバラップ領域からの隣接エリアの干渉が、有効に抑制される。非担当のワイヤレスリンクが、ハンドオフを通して、担当の新しいワイヤレスリンクに変わる場合、データを搬送するチャネルがワイヤレスリンクに追加され、通常の通信が保証される。
2010500793.tif 000002
【特許請求の範囲】
【請求項１】
移動通信システムにおける隣接セル干渉抑制方法において、
セル中のユーザ機器（ＵＥ）に対して確立される非担当無線リンクにおいて、前記セル中のアップリンク負荷に対する前記ＵＥの寄与の推定のためのアップリンクチャネルと、前記ＵＥの送信電力の制御のためのダウンリンクチャネルとのみを構成するステップと、
前記アップリンクチャネルを通して受信した信号に基づいて、前記セル中のアップリンク負荷に対する前記ＵＥの寄与を推定するステップと、
推定結果に基づいて、前記ダウンリンクチャネルにより、前記ＵＥの送信電力を制御するステップとを含む方法。
【請求項２】
前記無線リンクは、拡張専用チャネル（拡張ＤＣＨ）を含み、
前記アップリンクチャネルは、アップリンク専用物理制御チャネル（ＤＰＣＣＨ）と、アップリンク拡張専用物理制御チャネル（Ｅ−ＤＰＣＣＨ）とを含み、
前記ダウンリンクチャネルは、少なくとも、ダウンリンク相対的許可チャネル（ＲＧＣＨ）を含み、ダウンリンクフラクショナル専用物理チャネル（Ｆ−ＤＰＣＨ）またはダウンリンク専用物理チャネル（ＤＰＣＨ）をさらに含んでいてもよい請求項１記載の方法。
【請求項３】
前記非担当無線リンクが前記ＵＥに対して確立される前に、前記ＵＥからソフトハンドオーバ要求を受信することをさらに含む請求項２記載の方法。
【請求項４】
前記ＵＥに対して確立される非担当無線リンクにおいてチャネルを構成するステップは、
前記ＵＥにより現在使用されているリソースの量が、予め定められているしきい値を超えていない場合、前記非担当無線リンクにおいて、制御チャネルとデータチャネルの両方を構成することを含む請求項３記載の方法。
【請求項５】
ネットワーク側において、前記ＵＥからの隣接セル測定報告に基づいて、前記ＵＥに対する非担当無線リンクを確立する必要がある基地局ノードを決定することと、
前記基地局ノードに指示して、前記ＵＥに対する非担当無線リンクを確立させることとをさらに含む請求項１記載の方法。
【請求項６】
前記ＵＥとターゲットセルとの間の無線リンクが、前記セル中のアップリンク負荷に対する前記ＵＥの寄与の推定のためのアップリンクチャネルと、前記ＵＥの送信電力の制御のためのダウンリンクチャネルとのみを含む場合、前記ＵＥが切り換えられるときに、前記無線リンクにおいて、データ送信のためのチャネルを構成することをさらに含む請求項１ないし５のいずれか１項記載の方法。
【請求項７】
前記無線リンクは、拡張専用チャネル（Ｅ−ＤＣＨ）を含み、
前記データ送信用の関係チャネルは、アップリンク拡張専用物理データチャネル（Ｅ−ＤＰＤＣＨ）を含む請求項６記載の方法。
【請求項８】
前記ＵＥに対するアップリンクチャネルが、アップリンク拡張専用物理データチャネル（Ｅ−ＤＰＤＣＨ）である場合、前記アップリンク負荷に対する寄与は、
【数１】
2010500793.tif 000009
に等しく、
前記ＵＥに対するアップリンクチャネルが、アップリンク拡張専用物理データチャネル（Ｅ−ＤＰＤＣＨ）およびアップリンク専用物理データチャネルである場合、前記アップリンク負荷に対する寄与は、
【数２】
2010500793.tif 000010
に等しく、
ＳＩＲDPCCHは、前記アップリンク専用物理制御チャネル（ＤＰＣＣＨ）のＳＩＲであり、ＳＩＲE-DPCCHは、前記アップリンク拡張専用物理制御チャネル（Ｅ−ＤＰＣＣＨ）のＳＩＲであり、ＳＩＲE-DPDCHは、前記アップリンク拡張専用物理データチャネル（Ｅ−ＤＰＤＣＨ）のＳＩＲであり、ＳＩＲDPDCHは、前記アップリンク専用物理データチャネル（ＤＰＤＣＨ）のＳＩＲである請求項３ないし５のいずれか１項記載の方法。
【請求項９】
【数３】
2010500793.tif 000011
であり、
【数４】
2010500793.tif 000012
であり、
【数５】
2010500793.tif 000013
であり、
βE-DPDCHは、Ｅ−ＤＰＤＣＨの利得係数パラメータであり、βE-DPCCHは、アップリンク拡張専用物理データチャネル（Ｅ−ＤＰＣＣＨ）の利得係数パラメータであり、βDPDCHは、アップリンク専用物理データチャネル（ＤＰＤＣＨ）の利得係数パラメータであり、βDPCCHは、アップリンク専用物理制御チャネル（ＤＰＣＣＨ）の利得係数パラメータである請求項８記載の隣接セル干渉抑制方法。
【請求項１０】
基地局ノードにおいて、
セル中のＵＥに対して確立される非担当無線リンクにおいて、前記セル中のアップリンク負荷に対する前記ＵＥの寄与の推定のためのアップリンクチャネルと、前記ＵＥの送信電力の制御のためのダウンリンクチャネルとのみを確立するように構成されている第１のチャネル確立モジュールと、
前記第１のチャネル確立モジュールにより確立された前記アップリンクチャネルを通して受信した信号に基づいて、前記セル中のアップリンク負荷に対する前記ＵＥの寄与を推定するように構成されている推定モジュールと、
前記推定モジュールにより提供される推定結果に基づいて、前記ダウンリンクチャネルにより、前記ＵＥの送信電力を制御するように構成されている制御モジュールとを具備する基地局ノード。
【請求項１１】
前記基地局ノードは、
前記ＵＥが切り換えられるとき、前記ＵＥとターゲットセルとの間で確立される無線リンクが、前記セル中のアップリンク負荷に対する前記ＵＥの寄与の推定のためのアップリンクチャネルと、前記ＵＥの送信電力の制御のためのダウンリンクチャネルとのみを含んでいるかどうかを判断するように構成されている第１の判断モジュールと、
前記第１の判断モジュールからの指示にしたがって、前記無線リンクにおいて、前記ＵＥに対するデータ送信用の関係チャネルを確立するように構成されている第２のチャネル確立モジュールとをさらに具備する請求項１０記載の基地局ノード。
【請求項１２】
前記無線リンクは、拡張専用チャネルを含み、前記データ送信用の関係チャネルは、アップリンク拡張専用物理データチャネルを含む請求項１１記載の基地局ノード。
【請求項１３】
前記ＵＥにより現在使用されているリソースの量が、予め設定されているしきい値を超えているかどうかを判断するように構成されている第２の判断モジュールと、
前記ＵＥにより現在使用されているリソースの量が、予め定められているしきい値を超えていないと前記第２の判断モジュールが決定する場合、前記確立される非担当無線リンクにおいて、制御チャネルとデータチャネルの両方を設定するように構成されている第３のチャネル確立モジュールとをさらに具備する請求項１０記載の基地局ノード。
【請求項１４】
前記無線リンクは、拡張専用チャネルを含み、
前記アップリンクチャネルは、アップリンク専用物理制御チャネル（ＤＰＣＣＨ）と、アップリンク拡張専用物理制御チャネル（Ｅ−ＤＰＣＣＨ）とを含み、
前記ダウンリンクチャネルは、少なくとも、ダウンリンク相対的許可チャネル（ＲＧＣＨ）を含み、ダウンリンクフラクショナル専用物理チャネル（Ｆ−ＤＰＣＨ）またはダウンリンク専用物理チャネル（ＤＰＣＨ）をさらに含んでいてもよい請求項１０記載の基地局ノード。
【請求項１５】
ＵＥと基地局ノードとを具備している移動通信システムにおいて、
前記基地局ノードは、
前記ＵＥに対して確立される非担当無線リンクにおいて、セル中のアップリンク負荷に対する前記ＵＥの寄与の推定のためのアップリンクチャネルと、前記ＵＥの送信電力の制御のためのダウンリンクチャネルとのみを確立するように構成されている第１のチャネル確立モジュールと、
前記第１のチャネル確立モジュールにより確立された前記アップリンクチャネルを通して受信した信号に基づいて、前記セル中のアップリンク負荷に対する前記ＵＥの寄与を推定するように構成されている推定モジュールと、
前記推定モジュールにより提供される推定結果に基づいて、前記ダウンリンクチャネルにより、ＵＰの送信電力を制御するように構成されている制御モジュールとを備えている移動通信システム。
【請求項１６】
前記基地局ノードは、
前記ＵＥが切り換えられるとき、前記ＵＥとターゲットセルとの間で確立される無線リンクが、前記セル中のアップリンク負荷に対する前記ＵＥの寄与の推定のためのアップリンクチャネルと、前記ＵＥの送信電力の制御のためのダウンリンクチャネルとのみを含んでいるかどうかを判断するように構成されている第１の判断モジュールと、
前記第１の判断モジュールからの指示にしたがって、前記無線リンクにおいて、前記ＵＥに対するデータ送信用の関係チャネルを確立するように構成されている第２のチャネル確立モジュールとをさらに備えている請求項１５記載のシステム。
【請求項１７】
前記基地局ノードは、
前記ＵＥにより現在使用されているリソースの量が、予め定められているしきい値を超えているかどうかを判断するように構成されている第２の判断モジュールと、
前記ＵＥにより現在使用されているリソースの量が、前記予め定められているしきい値を超えていないと前記第２の判断モジュールが決定する場合、前記確立される非担当無線リンクにおいて、制御チャネルとデータチャネルの両方を設定するように構成されている第３のチャネル確立モジュールとをさらに備えている請求項１５記載のシステム。
【発明の詳細な説明】
【優先権の主張】
【０００１】
本出願は、２００６年８月８日に中国特許庁に出願された、“移動通信システムにおける隣接セル干渉抑制方法および基地局ノード”と題する、中国特許出願第２００６１０１１０５７３．５号に対する優先権を主張し、その内容は、全体として、参照によりここに組み込まれている。
【発明の分野】
【０００２】
本発明は、移動通信分野、特に、隣接セル干渉抑制技術に関し、特に、移動通信システムと、移動通信システムにおける隣接セル干渉抑制方法および基地局とに関する。
【発明の背景】
【０００３】
移動通信分野における重要な組織として、第３世代パートナーシッププロジェクト（３ＧＰＰ）は、第３世代（３Ｇ）移動通信技術の標準化を推進してきた。３ＧＰＰのこれまでのバージョンにおいて、アップリンクサービスとダウンリンクサービスの両方は、専用チャネルを通して実行され、リリース９９（Ｒ９９）において、アップリンク送信レートとダウンリンク送信レートの両方は、３８４Ｋｂｐｓに達している。
【０００４】
移動通信技術の発展により、３Ｇ技術もまた、絶えず発展し、進化している。３ＧＰＰリリース６（Ｒ６）において、高速アップリンクパケットアクセス（ＨＳＵＰＡ）技術が導入されている。ＨＳＵＰＡ技術は、より短い送信時間間隔（ＴＴＩ）とフレーム長（２ｍｓまたは１０ｍｓ）とを用いて、高速の自己適応制御を実現し、高速アップリンクディスパッチング技術に基づいた、ハイブリッド自動再送要求（ＨＡＲＱ）と基地局（ノードＢ）とを用いて、アップリンク周波数スペクトル効率を向上させている。
【０００５】
ＨＳＵＰＡ技術において、効率的なアップリンクデータ送信とアップリンク電力制御とを実現するために、２つのアップリンク物理チャネルと、３つのダウンリンク物理チャネルが追加され、すなわち、加入者データを搬送するように設計されているアップリンク拡張ＤＣＨ専用物理データチャネル（Ｅ−ＤＰＤＣＨ）と、関係付けられた物理層シグナリングを送信し、関係付けられたシグナリングをＥ−ＤＰＤＣＨ復調に提供するように設計されているアップリンク拡張ＤＣＨ専用物理制御チャネル（Ｅ−ＤＰＣＣＨ）と、加入者のアップリンクデータ送信レートを制御するように設計されている、拡張ＤＣＨ絶対的許可チャネル（Ｅ−ＡＧＣＨ）および拡張ＤＣＨ相対的許可チャネル（Ｅ−ＲＧＣＨ）と、アップリンクデータ送信が正しいかどうかを示すように設計されている拡張ＤＣＨハイブリッドＡＲＱインジケータチャネル（Ｅ−ＨＩＣＨ）とが追加されている。
【０００６】
Ｅ−ＡＧＣＨは、担当（ｓｅｒｖｉｎｇ）無線アクセスセル中にのみ存在し、最大アップリンク送信レートを示すように設計されており、低い周波数に調整できる。Ｅ−ＲＧＣＨは、担当無線アクセスセルまたは非担当（ｎｏｎ−ｓｅｒｖｉｎｇ）無線アクセスセル中に存在していてもよく、加入者に指示して、あるステップ長によりアップリンク送信レートを調整させるように設計されており、ＴＴＩ当たり最大１回までで、より高い周波数に調整できる。ＨＳＵＰＡ技術において、加入者は、データが正しく受信されているかどうかをＥ−ＨＩＣＨから知る。データが正しく受信されていない場合、再送信が開始され、さもなければ、新しいデータが送信される。
【０００７】
ＨＳＵＰＡ技術が導入されると同時に、より長い期間（例えば、１０年間またはより長い期間）にわたってＨＳＵＰＡについて競争力を保証するために、３ＧＰＰは、２００４年の後半期においてロングタームエボリューション（ＬＴＥ）プロジェクトを開始している。
【０００８】
ＬＴＥの進化プロセス中に、既存の広帯域コード分割多元接続（ＷＣＤＭＡ）ネットワークにおける３層ノードネットワーク構造（ノードＢ、無線ネットワーク制御装置（ＲＮＣ）、およびコアネット（ＣＮ））が、２層ノード構造に簡単化され、２層ノード構造において、ＲＮＣ機能が、ノードＢ（ここでは、進化したノードＢと呼び、また、ｅノードＢとも呼ぶ）と、より高い層上のノード（例えば、ゲートウェイ（ＧＷ））とに対して分配されている。
【０００９】
既存のＷＣＤＭＡネットワークにおけるノードＢと同様に、各ｅノードＢは、１つ以上のセルをカバーし、隣接セルは、それらの境界において部分的に（約３０％まで）オーバラップしている。
【００１０】
ＷＣＤＭＡネットワークにおいて、ユーザ機器（ＵＥ）がソースセルからターゲットセルに向かって移動するとき、ソースセルからの信号の強度は減少し、それゆえに、ソースセルとターゲットセルとの間のオーバラップエリアにおいて、セル間ハンドオーバを実行する必要がある。セル間ハンドオーバ状態におけるＵＥは、セル間ハンドオーバに関わる複数のノードＢと通信する。すなわち、ＵＥは、異なるセル中のノードＢから信号を受信でき、また、異なるセル中のノードＢに対して信号を送信できる。図１中で示したように、セル間ハンドオーバ状態におけるＵＥは、３つの隣接セル１０１、１０２、および１０３中のノードＢとの接続を確立し、ＵＥから送信される信号は、アップリンクチャネルを介して３つのノードＢにより受信され、復調された後に、（示していない）ＲＮＣに送信される。ＲＮＣは、３つのチャネルからのデータを組み合わせて、アップリンク信号の品質を向上させる。同様に、ダウンリンク信号が、３つのノードＢを介してＵＥに送信される。ＵＥは、３つのチャネルからの信号を組み合わせて、受信信号の品質を向上させ、セル間ハンドオーバ中のデータ損失を防ぐ。このような信号の組み合わせ技術は、マクロダイバーシティと呼ばれており、切り換え技術は、セル間ソフトハンドオーバと呼ばれている。
【００１１】
アップリンク信号は、ＵＥのアップリンクチャネル送信電力で、ＵＥから異なる複数のセルに送信されることから、ＵＥのアップリンクチャネル送信電力が非常に高いとき、ＵＥのアップリンク信号は、セル全体において、他のＵＥのアップリンクデータ送信とのより大きな干渉をもたらすかもしれず、それゆえに、セル中の他のＵＥからのデータ送信の品質の劣化を招き、または通話の切断さえ招く。
【００１２】
先行技術において、接続状態中のＵＥに対してソフトハンドオーバが実行されるとき、ＵＥと、ソフトハンドオーバに関わるオーバラップエリアに対応するそれぞれのセルとの間の接続を確立し、ＵＥのアップリンク電力を制御して、各セルのそれぞれとの、任意のＵＥ干渉を回避する必要がある。特に、ソフトハンドオーバプロセスにおいて、ＵＥは、隣接セルからのダウンリンクパイロット信号を検出し、隣接セルからのダウンリンクパイロット信号をＲＮＣに報告する。ＲＮＣは、その情報を受信し、判断する。ＵＥにより報告された、隣接セルからのダウンリンクパイロット信号のリストから、セルがソフトハンドオーバのしきい値を満たしていることが決定される場合、ＲＮＣは、ＵＥに対する新しい無線リンクを新しいセル中に確立する必要があることを決定し、ＲＮＣは、セル中のノードＢに対して無線接続セットアップ要求を開始し、確立すべき新しい無線接続に対してリソースを割り振るようにノードＢに要求する。ノードＢが要求を受信するとき、ノードＢは、さしあたり利用可能なリソースがあるかどうかを判断し、利用可能なリソースがある場合、要求が受け入れられ、ＲＮＣおよびノードＢは、ＵＥとの接続の確立のために必要とされるリソースを割り振り、ＵＥと、セル中のノードＢとの間の接続を確立する。そうではなくて、ノードＢが、現在多くのＵＥによりアクセスされ、利用可能なリソースを有していない場合、要求は拒絶される。このケースにおいて、ＲＮＣは、新しいセルにおいてＵＥに対する無線リンクを確立することを拒否する。ＵＥとセルとの間に、無線接続が無事に確立される場合、アップリンク送信電力制御（ＴＰＣ）コマンドまたはダウンリンク電力調整指示による、内部リング電力制御および外部リング電力制御を利用することにより、セルは、適正な範囲内になるようにＵＥのアップリンクチャネル送信電力を制御でき、それにより、ＵＥがオーバラップエリアにあり、ソフトハンドオーバの下にあるとき、ＵＥは、隣接セルとの干渉を生じさせない。
【００１３】
しかしながら、実際の適用において、ＵＥがソフトハンドオーバ状態にあるとき、先行技術における既存のアップリンク送信電力制御方法は、ソフトハンドオーバに関わるオーバラップエリアが属するセルとの干渉を効果的に回避できないかもしれず、ＬＴＥ進化ネットワークに対して適用できない。
【００１４】
本発明者は、この状況に対する主な理由が次の点にあることを見つけた。先行技術においては、ＵＥのアップリンクチャネル送信電力を制御するために、ノードＢは、最初にＵＥに対する無線接続を確立しなければならない。しかしながら、隣接セル中のノードＢのアップリンク復調リソースが限定されていることから、ソフトハンドオーバに関わるいくつかのセルは、ＵＥとの無線接続を確立できないかもしれない。そのケースにおいて、ノードＢは、ＵＥのアップリンクチャネル送信電力を制御できず、それゆえに、ＵＥのアップリンクチャネル送信電力は非常に高く、セルとの干渉を生じさせるかもしれず、それにより、セルの劣化したシステム性能と、システムの不安定性の危険とを招くかもしれない。
【００１５】
さらに、ＬＴＥ進化プロセスにおいて、既存のネットワークにおけるＲＮＣ機能は、ｅノードＢと、より高い層上のノード（例えば、ＧＷ）とに分配されている。このような状況において、図２中で示したように、ＵＥが何らかのオーバラップエリアにおいてデータを送信するとき、ＵＥは、１つのセル２０１中のノードＢとの無線接続を保つことができるだけであり、一方、オーバラップエリアを有する他のセル２０２および２０３は、アップリンクチャネル送信電力を制御する先行技術により、ＵＥとの無線接続を確立できず、それゆえに、隣接セルとのＵＥの干渉を回避できない。
【発明の概要】
【００１６】
本発明は、移動通信システムと、移動通信システムにおける隣接セル干渉抑制方法および基地局ノードとを提供し、本発明により、基地局ノードは、システムの安定性と、高速ディスパッチングにおける精度とを向上させることが可能になる。
【００１７】
移動通信システムにおける隣接セル干渉抑制方法は、
ＵＥに対して確立される非担当無線リンクにおいて、セル中のアップリンク負荷に対するＵＥの寄与の推定のためのアップリンクチャネルと、ＵＥの送信電力の制御のためのダウンリンクチャネルとのみを構成することと、
アップリンクチャネルを通して受信した信号にしたがって、セル中のアップリンク負荷に対するＵＥの寄与を推定することと、推定結果に基づいて、ダウンリンクチャネルにより、ＵＥの送信電力を制御することとを含む。
【００１８】
基地局ノードは、
ＵＥに対して確立される非担当無線リンクにおいて、セル中のアップリンク負荷に対するＵＥの寄与の推定のためのアップリンクチャネルと、ＵＥの送信電力の制御のためのダウンリンクチャネルとのみを確立するように構成されている第１のチャネル確立モジュールと、
第１のチャネル確立モジュールにより確立されたアップリンクチャネルを通して受信した信号により、セル中のアップリンク負荷に対するＵＥの寄与を推定するように構成されている推定モジュールと、
推定モジュールにより提供される推定結果に基づいて、ダウンリンクチャネルにより、ＵＥの送信電力を制御するように構成されている制御モジュールとを含む。
【００１９】
移動通信システムは、ＵＥと基地局ノードとを含み、移動通信システムにおいて、基地局ノードは、
ＵＥに対して確立される非担当無線リンクにおいて、セル中のアップリンク負荷に対するＵＥの寄与の推定のためのアップリンクチャネルと、ＵＥの送信電力の制御のためのダウンリンクチャネルとのみを確立するように構成されている第１のチャネル確立モジュールと、
第１のチャネル確立モジュールにより確立されたアップリンクチャネルを通して受信した信号に基づいて、セル中のアップリンク負荷に対するＵＥの寄与を推定するように構成されている推定モジュールと、
推定モジュールにより提供される推定結果に基づいて、ダウンリンクチャネルにより、ＵＰの送信電力を制御するように構成されている制御モジュールとを含む。
【００２０】
本発明の実施形態において、基地局ノードによりＵＥに対して確立される非担当無線リンクにおいて、制御プレーン接続だけがＵＥに対して確立され、セル中のアップリンク負荷に対するＵＥの寄与が、ＵＥに対して確立されたアップリンクチャネルにより推定され、それにより、アップリンク負荷に対する隣接セル中のＵＥの寄与が予測可能になり、ＵＥの送信電力は、ＵＥに対して確立されたダウンリンクチャネルにより、推定結果に基づいて制御でき、それにより、オーバラップエリアが属している隣接セルからの干渉を有効に抑制でき、システムの安定性と、基地局ノードによる高速ディスパッチングにおける精度とを向上させることができる。
【図面の簡単な説明】
【００２１】
【図１】図１は、先行技術における、ＷＣＤＭＡネットワークでの、オーバラップエリア中のＵＥと、ノードＢとの間の接続の概略図である。
【図２】図２は、先行技術における、ＬＴＥ進化ネットワークでの、オーバラップエリア中のＵＥと、ノードＢとの間の接続の概略図である。
【図３】図３は、本発明にしたがって、移動通信システムにおいて隣接セル干渉を抑制する干渉抑制方法における、オーバラップエリア中のＵＥと、ノードＢとの間の接続の概略図である。
【図４】図４は、本発明の第１の実施形態にしたがって、移動通信システムにおいて隣接セル干渉を抑制する干渉抑制方法のフロー図である。
【図５】図５は、本発明の第２の実施形態にしたがって、移動通信システムにおいて隣接セル干渉を抑制する干渉抑制方法のフロー図である。
【図６】図６は、本発明の第３の実施形態にしたがった、ノードＢの構造ブロック図である。
【図７】図７は、本発明の第４の実施形態にしたがった、ノードＢの構造ブロック図である。
【実施形態の詳細な説明】
【００２２】
以下に、添付図面に関連して、本発明の実施形態をさらに詳細に説明する。
【００２３】
本発明の１つの実施形態において、隣接セルのオーバラップエリア中で、ＵＥに対してノードＢにより確立される非担当無線リンクは、制御プレーン接続だけを含み、セルのアップリンク負荷に対するＵＥの寄与が、制御プレーン接続により推定され、ＵＥの送信電力が、制御プレーン接続により制御される。
【００２４】
図３中で示したように、ＵＥは、第１のセル３１と、第２のセル３２と、第３のセル３３とのオーバラップリアにあり、それぞれの３つのセル中のノードＢとの無線リンクを確立する。ＵＥに対して、第１のセルは、担当セルであり、アップリンクチャネルとダウンリンクチャネルの両方を含む担当無線リンクが、ＵＥと、第１のセル３１中の第１のノードＢ３１１との間で確立される。ＵＥに対して、第２のセル３２と第３のセル３３は、非担当セルであり、制御プレーンにおけるアップリンクチャネルとダウンリンクチャネルとのみを含む非担当無線リンクが、ＵＥと、第２のセル３２中の第２のノードＢ３２２との間で、および、ＵＥと、第３のセル３３中の第３のノードＢ３３３との間で、それぞれ確立される。第２のノードＢ３２２を例にとると、非担当無線リンクを確立する際に、第２のノードＢ３２２は、セル２中のアップリンク負荷に対するＵＥの寄与の推定のために設計されているアップリンクチャネルと、ＵＥの送信電力の制御のために設計されているダウンリンクチャネルとのみを確立する。第２のノードＢ３２２は、アップリンクチャネルを通して受信した信号に基づいて、セル２中のアップリンク負荷に対するＵＥの寄与を推定し、推定結果に基づいて、ダウンリンクチャネルを通してＵＥの送信電力を制御する。それゆえに、無線リンクの確立に対して必要なリソースが低減される一方で、オーバラップエリアが属する隣接からの干渉を有効に抑制でき、したがって、システムの安定性と、ノードＢによる高速ディスパッチングにおける精度とを向上させることができる。
【００２５】
以下に、本発明の第１の実施形態にしたがった、移動通信システムにおける隣接セル干渉抑制方法を記述する。
【００２６】
図４中で示したように、
ステップ４１０において、ノードＢがＵＥからソフトハンドオーバ要求を受信するとき、ノードＢは、ＵＥに対する非担当無線リンクを確立する。
【００２７】
非担当無線リンクは、（Ｅ−ＤＣＨと略される）拡張専用チャネルを含む無線リンクである。ノードＢは、セル中のアップリンク負荷に対するＵＥの寄与の推定のために設計されているアップリンクチャネル（例えば、アップリンクＤＰＣＣＨまたはアップリンクＥ−ＤＰＣＣＨ）と、ＵＥの送信電力の制御のために設計されているダウンリンクチャネル（例えば、ダウンリンクＥ−ＲＧＣＨ、Ｆ−ＤＰＣＨ、またはＤＰＤＣＨ）とのみを無線リンクにおいて設定する。実際の適用において、ＵＥの送信電力を制御するために非担当セルにより使用されるダウンリンクチャネルは、ダウンリンクＥ−ＲＧＣＨである。同様に、ノードＢの実際の性能次第で、Ｆ−ＤＰＣＨおよびＤＰＤＣＨのうちの１つを、選択および確立できる。ＵＥに対してノードＢにより確立される非担当無線リンクは、制御プレーン接続だけを含むことから、Ｅ−ＤＰＤＣＨ復調リソースが使い果たされている場合でさえ、ノードＢは、制御プレーン接続を通してＵＥの送信電力を制御でき、その下位セルとの干渉を回避できる。
【００２８】
ステップ４２０において、現在使用されているリソースの量が、予め設定されているしきい値を超えているかどうかをノードＢが判断し、超えていない場合、ノードＢは、ステップ４３０に進み、そうではなく、超えている場合、ノードＢは、直接ステップ４４０に行く。
【００２９】
ステップ４３０において、ノードＢは、無線リンクにおいて、制御チャネルおよびデータチャネルの両方を設定する。
【００３０】
ノードＢは、ステップ４１０において設定される制御チャネルのそれぞれと、アップリンクデータを受信するためのＥ−ＤＰＤＣＨとを含む、制御チャネルおよびデータチャネルの両方を無線リンクにおいて設定して、高速アップリンクデータパケットアクセスのための復調リソースをフルに使用し、リソースの浪費を回避する。チャネルを設定する特定の方法は、先行技術の、拡張ＤＣＨにおける関連チャネルを設定する方法を参照して実行でき、ここではさらに記述しない。
【００３１】
ステップ４４０において、ノードＢは、ＤＰＣＣＨとアップリンクＥ−ＤＰＣＣＨとを通して受信した信号に基づいて、セル中のアップリンク負荷に対するＵＥの寄与を推定する。
【００３２】
特に、ノードＢは、アップリンクＤＰＣＣＨのパイロット周波数情報に基づいて、アップリンクＤＰＣＣＨのＳＩＲDPCCHを推定し、その特定の方法は、先行技術における方法と同じである。
【００３３】
現在のアップリンクＥ−ＤＰＣＣＨ中で示される、アップリンクＥ−ＤＰＤＣＨのデータ送信フォーマットシグナリング情報と、ネットワークに対して設定されている基準送信フォーマット情報とに基づいて、ノードＢは、アップリンクＤＰＣＣＨに対するアップリンクＥ−ＤＰＤＣＨの電力制御利得係数βE-DPDCHを取得する。その特定の方法は、先行技術における方法と同じである。
【００３４】
次に、ノードＢは、ＵＥのアップリンクＤＰＣＣＨの取得したＳＩＲDPCCHと、アップリンクＥ−ＤＰＤＣＨに対するアップリンクＥ−ＤＰＤＣＨの電力制御利得係数βE-DPDCHと、ネットワーク中で予め設定されている、アップリンクＤＰＣＣＨの利得係数パラメータβDPCCHとに基づいて、数式
【数１】
2010500793.tif 000003
【００３５】
を使用して、アップリンクＥ−ＤＰＤＣＨのＳＩＲE-DPDCHを計算する。
【００３６】
次に、ノードＢは、無線ネットワーク中で予め設定されている、アップリンクＤＰＣＣＨに対するアップリンクＥ−ＤＰＣＣＨの電力偏差パラメータΔE-DPCCHと、アップリンクＤＰＣＣＨの利得係数パラメータβDPCCHとに基づいて、数式
【数２】
2010500793.tif 000004
【００３７】
を使用して、アップリンクＤＰＣＣＨに対するアップリンクＥ−ＤＰＣＣＨの電力制御利得係数βE-DPCCHを計算する。ノードＢはさらに、電力制御利得係数βE-DPCCHと、アップリンクＤＰＣＣＨの推定されたＳＩＲDPCCHと、ネットワーク中で予め設定されている、アップリンクＤＰＣＣＨの利得係数βDPCCHとに基づいて、数式
【数３】
2010500793.tif 000005
【００３８】
を使用して、アップリンクＥ−ＤＰＣＣＨのＳＩＲE-DPCCHを取得する。
【００３９】
ＵＥのアップリンクデータ送信チャネルが、アップリンクＥ−ＤＰＤＣＨのみを含む場合、ノードＢは、それぞれ、ＤＰＣＣＨ、Ｅ−ＤＰＤＣＨ、およびＥ−ＤＰＣＣＨの、計算された、ＳＩＲDPCCH、ＳＩＲE-DPDCH、およびＳＩＲE-DPDCHに基づいて、数式
【数４】
2010500793.tif 000006
【００４０】
を使用して、セル中のアップリンク負荷に対するＵＥの寄与を取得する。ＵＥのアップリンクデータ送信チャネルが、アップリンクＥ−ＤＰＤＣＨとアップリンクＤＰＤＣＨとを含む場合、ノードＢは、上で計算したＥ−ＤＰＣＣＨのＳＩＲE-DPCCHと、アップリンクＤＰＣＣＨに対するアップリンクＥ−ＤＰＤＣＨの電力制御利得係数ＵＥβE-DPDCHと、ネットワーク中で予め設定されているアップリンクＤＰＤＣＨの利得係数パラメータβDPDCHとに基づいて、数式
【数５】
2010500793.tif 000007
【００４１】
を使用して、アップリンクＤＰＤＣＨのＳＩＲDPDCHを計算する必要がある。上で計算したような、ＳＩＲDPDCHと、ＳＩＲDPCCHと、ＳＩＲE-DPDCHと、ＳＩＲE-DPCCHとに基づいて、ノードＢは、数式
【数６】
2010500793.tif 000008
【００４２】
を使用して、セル中のアップリンク負荷に対するＵＥの寄与を取得する。
【００４３】
ステップ４５０において、ノードＢは、セル中のアップリンク負荷に対するＵＥの寄与の推定結果に基づいて、ダウンリンクＥ−ＲＧＣＨを介して、ＵＥの送信電力を制御する。
【００４４】
特に、ノードＢが、セル中のアップリンク負荷とのＵＥ干渉が非常に高いと推定する場合、ノードＢは、ダウンリンクＥ−ＲＧＣＨを介して相対的許可（ＲＧ）コマンドを送信して、アップリンクデータ送信レートを減少させるようにＵＥに指示し、それにより、セルとのアップリンクデータ送信の干渉が低減される。そのため、セル中の他のＵＥの送信電力を向上させる必要がなく、それゆえに、システムの安定性と、加入者のデータ送信の安定性とを保証でき、システムの容量を向上させることができる。そうではなくて、ノードＢが、セル中のアップリンク負荷とのＵＥ干渉があまり高くないと推定する場合、ノードＢは、ダウンリンクＥ−ＲＧＣＨ指示メッセージを送信する必要はない。
【００４５】
本発明の実施形態において、無線リンクの確立に必要なリソースを低減させるために、確立される非担当無線リンクがデータ送信用のチャネルを含まなくてもよいことに言及する価値がある。それゆえに、ＵＥがアップリンク担当セルの更新のためにソフトハンドオーバを実行するとき、ＵＥとターゲットセルとの間の無線リンクが、セル中のアップリンク負荷に対するＵＥの寄与を推定するためのアップリンクチャネルと、ＵＥの送信電力を制御するためのダウンリンクチャネルとのみを含むかどうかを決定する必要がある。無線リンクがこのようなアップリンクチャネルとダウンリンクチャネルとのみを含む場合、ＵＥがターゲットセルに切り換えられた後に、確実にＵＥが正常に通信できるように、ソフトハンドオーバが開始される前に、データ送信用の関係チャネル（例えば、アップリンクＥ−ＤＰＤＣＨ）を無線リンク中に追加することが必要である。
【００４６】
本発明の第２の実施形態にしたがう、移動通信システムにおける隣接セル干渉抑制方法は、本質的に、第１の実施形態にしたがう方法と同じである。しかしながら、適用の環境の点において、第１の実施形態は主として、アップリンクマクロダイバーシティ技術を用いるネットワーク中で適用されるのに対して、第２の実施形態は主として、アップリンクマクロダイバーシティ技術がキャンセルされるネットワーク中で適用される。
【００４７】
ＬＴＥ進化ネットワークにおいて、アップリンクマクロダイバーシティは、システムアーキテクチャ中で、すなわち、ネットワーク中でキャンセルされ、オーバラップエリア中のＵＥは、その担当セルとのデータ送信プレーン接続のみを確立できる。この変化を考慮して、本実施形態により、非担当セル中のノードＢ（ｅノードＢとも呼ばれる）は、ＵＥとノードＢとの間に制御プレーン接続のみを確立することにより、オーバラップエリアが属する隣接セル中のＵＥの送信電力を制御することが可能になり、それにより、オーバラップエリアが属する隣接セル中のＵＥからの、ローカルセルとの干渉が回避される。
【００４８】
特に図５中で示したように、
ステップ５１０において、ネットワーク側が、ＵＥからの隣接セル測定報告に基づいて、ＵＥに対する非担当無線リンクを確立する必要があるノードＢを決定し、ＵＥに対する非担当無線リンクを確立するようにノードＢに指示する。
【００４９】
次に、ステップ５２０において、ノードＢは、ＵＥに対する非担当無線リンクを確立し、セル中のアップリンク負荷に対するＵＥの寄与の推定のためのアップリンクチャネルと、ＵＥの送信電力の制御のためのダウンリンクチャネルとのみが、無線リンク中で設定される。
【００５０】
次に、プロセスはステップ５３０に進み、ステップ５３０において、ノードＢは、アップリンクチャネルを通して受信した信号に基づいて、セル中のアップリンク負荷に対するＵＥの寄与を推定する。
【００５１】
特定の推定方法は、第１の実施形態における推定方法と類似しており、ここでは記述しない。本実施形態においては、非担当ノードＢとＵＥとの間でデータ送信用の関係チャネルを確立する必要がないことから、アップリンクマクロダイバーシティ技術がシステムアーキテクチャからキャンセルされる場合でさえ、ＵＥとの、確立された制御プレーン接続により、ノードＢは依然として、オーバラップエリアが属する隣接セルのＵＥからの、ローカルセルとの干渉を正確に推定できる。非担当ノードＢとＵＥとの間で、制御プレーン接続のみが確立されることから、加入者プレーン中のリソース（例えば、非担当ノードＢリソースおよびｌｕｂ送信、など）が占有されず、それゆえに、より少ないハードウェアリソースの消費により、システム性能を向上させることができ、システムの安定性を達成できる。
【００５２】
次に、プロセスはステップ５４０に進み、ステップ５４０において、ステップ５４０は、推定結果にしたがって、ダウンリンクチャネルにより、ＵＥの送信電力を制御する。
【００５３】
ノードＢは、セル中の他のＵＥの送信電力を増加させる必要はなく、それゆえに、システムの安定性および加入者のデータ送信の安定性を保証でき、システムの容量を向上させることができる。
【００５４】
図６は、本発明の第３の実施形態にしたがった、ノードＢの構造ブロック図である。先行技術における基本モジュールに加えて、本発明の第３の実施形態におけるノードＢは、第１のチャネル確立モジュール６１０と、推定モジュール６２０と、制御モジュール６３０と、第１の判断モジュール６４０と、第２のチャネル確立モジュール６５０とをさらに含む。
【００５５】
第１のチャネル確立モジュール６１０は、ＵＥに対する非担当無線リンクを確立するように構成されており、非担当無線リンクにおいて、セル中のアップリンク負荷に対するＵＥの寄与の推定のためのアップリンクチャネルと、ＵＥの送信電力の制御のためのダウンリンクチャネルとのみが構成される。
【００５６】
推定モジュール６２０は、第１のチャネル確立モジュール６１０により確立されたアップリンクチャネルを通して受信した信号に基づいて、セル中のアップリンク負荷に対するＵＥの寄与を推定するように構成されている。
【００５７】
制御モジュール６３０は、推定モジュール６２０の推定結果に基づいて、ダウンリンクチャネルを介して、ＵＥの送信電力を制御するように構成されている。
【００５８】
第１の判断モジュール６４０は、ＵＥとターゲットセルとの間で確立された無線リンクが、セル中の負荷に対するＵＥの寄与の推定のためのアップリンクチャネルと、ＵＥの送信電力の制御のためのダウンリンクチャネルとのみを含んでいるかどうかを判断するように構成されている。
【００５９】
第２のチャネル確立モジュール６５０は、第１の判断モジュール６４０から指示を受け取り、無線リンクにおいて、データ送信用の関係チャネルを追加するように構成されている。
【００６０】
無線リンクは、拡張専用チャネルを含むリンクである。アップリンクチャネルは、アップリンク専用物理制御チャネルと、アップリンク拡張専用物理制御チャネルとを含み、ダウンリンクチャネルは、ダウンリンク相対的許可チャネル、ダウンリンクフラクショナル専用物理チャネル、またはダウンリンク専用物理チャネルを含む。
【００６１】
特に、ノードＢがオーバラップエリア中のＵＥから切り換え要求を受信するとき、ノードＢは、ＵＥに対する非担当無線リンクを確立するように第１のチャネル確立モジュール６１０に指示する。第１のチャネル確立モジュール６１０は、セル中のアップリンク負荷に対するＵＥの寄与の推定のためのアップリンクチャネルと、ＵＥの送信電力の制御のためのダウンリンクチャネルとのみを確立する。次に、推定モジュール６２０は、第１のチャネル確立モジュール６１０により確立されたアップリンクチャネルを通して受信した信号に基づいて、セル中のアップリンク負荷に対するＵＥの寄与を推定し、推定結果を制御モジュール６３０に指示する。制御モジュール６３０は、推定モジュール６２０により提供される推定結果に基づいて、ダウンリンクチャネルを介して、ＵＥの送信電力を制御し、それにより、オーバラップエリアが属している隣接セルからの干渉が有効に抑制され、セル中の他のＵＥの送信電力を増加させることなく、ノードＢによる高速ディスパッチングにおける精度が向上し、システムの安定性および加入者のデータ送信レートの安定性を保証できる。
【００６２】
さらに、本発明の実施形態において、無線リンクの確立に必要なリソースを低減させるために、確立される非担当無線リンクは、データ送信用のチャネルを含まない。それゆえに、ＵＥがソフトハンドオーバを実行するとき、ＵＥとターゲットセルとの間の無線リンクが、セル中のアップリンク負荷に対するＵＥの寄与の推定のためのアップリンクチャネルと、ＵＥの送信電力の制御のためのダウンリンクチャネルとのみを含むかどうかを、第１の判断モジュール６４０により判断する必要がある。無線リンクが、アップリンクチャネルとダウンリンクチャネルとのみを含む場合、ＵＥがターゲットセルに切り換えられた後に、確実にＵＥが正常に通信できるように、第１の判断モジュール６４０は、データ送信用の関係チャネルを無線リンクにおいて追加するように第２のチャネル確立モジュール６５０に指示する。
【００６３】
図７は、本発明の第４の実施形態にしたがった、ノードＢの構造ブロック図を示す。第３の実施形態中のモジュールに加えて、本発明の第４の実施形態は、第２の判断モジュール６６０と、第３のチャネル確立モジュール６７０とをさらに含む。
【００６４】
第２の判断モジュール６６０は、ＵＥにより現在使用されているリソースの量が予め設定されているしきい値を超えているかどうかを判断するように構成されている。
【００６５】
ＵＥにより現在使用されているリソースの量が予め設定されているしきい値を超えていないと第２の判断モジュール６６０が決定するとき、第３のチャネル確立モジュール６７０は、確立される非担当無線リンクにおいて、制御チャネルおよびデータチャネルの両方を構成するように構成されている。
【００６６】
本発明の第４の実施形態の他のモジュールに対しては、第３の実施形態に関する記述が参照できる。これらのモジュールは、ここではさらに記述しない。
【００６７】
本発明の実施形態にしたがって、ノードＢがＵＥに対する非担当無線リンクを確立するとき、制御プレーン接続だけが確立され、セル中のアップリンク負荷に対するＵＥの寄与が、確立されたアップリンクチャネルにより推定され、それによりアップリンク負荷に対する隣接セル中のＵＥの寄与が予測可能になり、ＵＥの送信電力は、推定結果に基づいて、確立されたダウンリンクチャネルにより制御でき、それにより、オーバラップエリアが属している隣接セルからの干渉を有効に抑制でき、システムの安定性と、ノードＢによる高速ディスパッチングにおける精度とを向上させることができる。
【００６８】
非担当無線リンクが、ハンドオーバ中に担当無線リンクになる場合、ＵＥが新しい担当無線リンクに切り換えられた後に、確実にＵＥが正常に通信できるように、データを搬送するチャネルが無線リンクに追加される。
【００６９】
既存のＨＳＵＰＡシステムに対して、ノードＢが隣接セル中のＵＥからソフトハンドオーバ要求を受信するとき、ノードＢは、制御プレーン接続のみを含む非担当無線リンクをＵＥに対して確立する。それゆえに、Ｅ−ＤＰＤＣＨ復調リソースが使い果たされている場合でさえ、セル中のアップリンク負荷に対する、ソフトハンドオーバに関わるオーバラップエリア中のＵＥの寄与は、確立された制御プレーン接続により正確に推定できる。ソフトハンドオーバに関わるオーバラップエリア中のＵＥのアップリンク負荷が非常に高い場合、無線リンクが確立されたＵＥの送信電力を増加させることなく、ダウンリンク制御チャネルを使用して、アップリンクデータ送信レートを低減させるようにＵＥに指示できる。それゆえに、方法は、システムの安定性と、加入者データ送信レートの安定性とを保証でき、システムの容量を向上させることができる。
【００７０】
さらに、ノードＢがＵＥに対する非担当無線リンクを確立するとき、ノードＢは、Ｅ−ＤＰＤＣＨ復調リソースの現在の消費状況に基づいて判断できる。フリーのＥ−ＤＰＤＣＨ復調リソースが比較的少ない場合、制御チャネルのみが確立される。フリーのＥ−ＤＰＤＣＨ復調リソースが比較的多い場合、アップリンクデータを受信するＥ−ＤＰＤＣＨをＵＥに対して確立して、アップリンク高速パケットによりアクセスされる復調リソースをフルに使用し、リソースの浪費を回避できる。
【００７１】
研究中の拡張高速パケットアクセス（Ｅ−ＨＳＰＡ）技術に対して、アップリンクマクロダイバーシティ技術が、システムアーキテクチャ中でキャンセルされる場合でさえ、非担当ノードＢはなお、ネットワーク側からの通知に基づいて、ＵＥとの制御プレーン接続のみを確立して、オーバラップエリアが属している隣接セル中のＵＥからの、ローカルセルとの干渉を正確に推定し、ダウンリンク制御チャネルにより、ＵＥのアップリンク送信電力を調停および調整し、干渉制御の目的を達成できる。さらに、制御プレーン接続のみが確立されることから、加入者プレーンにおけるリソース（例えば、ノードＢリソースおよびｌｕｂ送信リソースなど）が占有されず、それゆえに、より少ないハードウェアリソースの消費により、システムの性能を向上させることができ、システムの安定性を達成できる。
【００７２】
いくつかの例示的な実施形態に関連して、本発明を図示および記述してきたが、本発明は、このような実施形態に限定されない。特許請求の範囲により規定される、本発明の精神および範囲から逸脱することなく、さまざまなバリエーションおよび修正が実施できることを当業者は理解すべきである。
【図１】
2010500793.tif 000014
【図２】
2010500793.tif 000015
【図３】
2010500793.tif 000016
【図４】
2010500793.tif 000017
【図５】
2010500793.tif 000018
【図６】
2010500793.tif 000019
【図７】
2010500793.tif 000020
【手続補正書】
【提出日】平成21年6月2日(2009.6.2)
【手続補正１】
【補正対象書類名】明細書
【補正対象項目名】全文
【補正方法】変更
【補正の内容】
【発明の詳細な説明】
【優先権の主張】
【０００１】
本出願は、２００６年８月８日に中国特許庁に出願された、“移動通信システムにおける隣接セル干渉抑制方法および基地局ノード”と題する、中国特許出願第２００６１０１１０５７３．５号に対する優先権を主張し、その内容は、全体として、参照によりここに組み込まれている。
【発明の分野】
【０００２】
本発明は、移動通信分野、特に、隣接セル干渉抑制技術に関し、特に、移動通信システムと、移動通信システムにおける隣接セル干渉抑制方法および基地局とに関する。
【発明の背景】
【０００３】
移動通信分野における重要な組織として、第３世代パートナーシッププロジェクト（３ＧＰＰ）は、第３世代（３Ｇ）移動通信技術の標準化を推進してきた。３ＧＰＰのこれまでのバージョンにおいて、アップリンクサービスとダウンリンクサービスの両方は、専用チャネルを通して実行され、リリース９９（Ｒ９９）において、アップリンク送信レートとダウンリンク送信レートの両方は、３８４Ｋｂｐｓに達している。
【０００４】
移動通信技術の発展により、３Ｇ技術もまた、絶えず発展し、進化している。３ＧＰＰリリース６（Ｒ６）において、高速アップリンクパケットアクセス（ＨＳＵＰＡ）技術が導入されている。ＨＳＵＰＡ技術は、より短い送信時間間隔（ＴＴＩ）とフレーム長（２ｍｓまたは１０ｍｓ）とを用いて、高速の自己適応制御を実現し、高速アップリンクディスパッチング技術に基づいた、ハイブリッド自動再送要求（ＨＡＲＱ）と基地局（ノードＢ）とを用いて、アップリンク周波数スペクトル効率を向上させている。
【０００５】
ＨＳＵＰＡ技術において、効率的なアップリンクデータ送信とアップリンク電力制御とを実現するために、２つのアップリンク物理チャネルと、３つのダウンリンク物理チャネルが追加され、すなわち、加入者データを搬送するように設計されているアップリンク拡張ＤＣＨ専用物理データチャネル（Ｅ−ＤＰＤＣＨ）と、関係付けられた物理層シグナリングを送信し、関係付けられたシグナリングをＥ−ＤＰＤＣＨ復調に提供するように設計されているアップリンク拡張ＤＣＨ専用物理制御チャネル（Ｅ−ＤＰＣＣＨ）と、加入者のアップリンクデータ送信レートを制御するように設計されている、拡張ＤＣＨ絶対的許可チャネル（Ｅ−ＡＧＣＨ）および拡張ＤＣＨ相対的許可チャネル（Ｅ−ＲＧＣＨ）と、アップリンクデータ送信が正しいかどうかを示すように設計されている拡張ＤＣＨハイブリッドＡＲＱインジケータチャネル（Ｅ−ＨＩＣＨ）とが追加されている。
【０００６】
Ｅ−ＡＧＣＨは、担当（ｓｅｒｖｉｎｇ）無線アクセスセル中にのみ存在し、最大アップリンク送信レートを示すように設計されており、低い周波数に調整できる。Ｅ−ＲＧＣＨは、担当無線アクセスセルまたは非担当（ｎｏｎ−ｓｅｒｖｉｎｇ）無線アクセスセル中に存在していてもよく、加入者に指示して、あるステップ長によりアップリンク送信レートを調整させるように設計されており、ＴＴＩ当たり最大１回までで、より高い周波数に調整できる。ＨＳＵＰＡ技術において、加入者は、データが正しく受信されているかどうかをＥ−ＨＩＣＨから知る。データが正しく受信されていない場合、再送信が開始され、さもなければ、新しいデータが送信される。
【０００７】
ＨＳＵＰＡ技術が導入されると同時に、より長い期間（例えば、１０年間またはより長い期間）にわたってＨＳＵＰＡについて競争力を保証するために、３ＧＰＰは、２００４年の後半期においてロングタームエボリューション（ＬＴＥ）プロジェクトを開始している。
【０００８】
ＬＴＥの進化プロセス中に、既存の広帯域コード分割多元接続（ＷＣＤＭＡ）ネットワークにおける３層ノードネットワーク構造（ノードＢ、無線ネットワーク制御装置（ＲＮＣ）、およびコアネット（ＣＮ））が、２層ノード構造に簡単化され、２層ノード構造において、ＲＮＣ機能が、ノードＢ（ここでは、進化したノードＢと呼び、また、ｅノードＢとも呼ぶ）と、より高い層上のノード（例えば、ゲートウェイ（ＧＷ））とに対して分配されている。
【０００９】
既存のＷＣＤＭＡネットワークにおけるノードＢと同様に、各ｅノードＢは、１つ以上のセルをカバーし、隣接セルは、それらの境界において部分的に（約３０％まで）オーバラップしている。
【００１０】
ＷＣＤＭＡネットワークにおいて、ユーザ機器（ＵＥ）がソースセルからターゲットセルに向かって移動するとき、ソースセルからの信号の強度は減少し、それゆえに、ソースセルとターゲットセルとの間のオーバラップエリアにおいて、セル間ハンドオーバを実行する必要がある。セル間ハンドオーバ状態におけるＵＥは、セル間ハンドオーバに関わる複数のノードＢと通信する。すなわち、ＵＥは、異なるセル中のノードＢから信号を受信でき、また、異なるセル中のノードＢに対して信号を送信できる。図１中で示したように、セル間ハンドオーバ状態におけるＵＥは、３つの隣接セル１０１、１０２、および１０３中のノードＢとの接続を確立し、ＵＥから送信される信号は、アップリンクチャネルを介して３つのノードＢにより受信され、復調された後に、（示していない）ＲＮＣに送信される。ＲＮＣは、３つのチャネルからのデータを組み合わせて、アップリンク信号の品質を向上させる。同様に、ダウンリンク信号が、３つのノードＢを介してＵＥに送信される。ＵＥは、３つのチャネルからの信号を組み合わせて、受信信号の品質を向上させ、セル間ハンドオーバ中のデータ損失を防ぐ。このような信号の組み合わせ技術は、マクロダイバーシティと呼ばれており、切り換え技術は、セル間ソフトハンドオーバと呼ばれている。
【００１１】
アップリンク信号は、ＵＥのアップリンクチャネル送信電力で、ＵＥから異なる複数のセルに送信されることから、ＵＥのアップリンクチャネル送信電力が非常に高いとき、ＵＥのアップリンク信号は、セル全体において、他のＵＥのアップリンクデータ送信とのより大きな干渉をもたらすかもしれず、それゆえに、セル中の他のＵＥからのデータ送信の品質の劣化を招き、または通話の切断さえ招く。
【００１２】
先行技術において、接続状態中のＵＥに対してソフトハンドオーバが実行されるとき、ＵＥと、ソフトハンドオーバに関わるオーバラップエリアに対応するそれぞれのセルとの間の接続を確立し、ＵＥのアップリンク電力を制御して、各セルのそれぞれとの、任意のＵＥ干渉を回避する必要がある。特に、ソフトハンドオーバプロセスにおいて、ＵＥは、隣接セルからのダウンリンクパイロット信号を検出し、隣接セルからのダウンリンクパイロット信号をＲＮＣに報告する。ＲＮＣは、その情報を受信し、判断する。ＵＥにより報告された、隣接セルからのダウンリンクパイロット信号のリストから、セルがソフトハンドオーバのしきい値を満たしていることが決定される場合、ＲＮＣは、ＵＥに対する新しい無線リンクを新しいセル中に確立する必要があることを決定し、ＲＮＣは、セル中のノードＢに対して無線接続セットアップ要求を開始し、確立すべき新しい無線接続に対してリソースを割り振るようにノードＢに要求する。ノードＢが要求を受信するとき、ノードＢは、さしあたり利用可能なリソースがあるかどうかを判断し、利用可能なリソースがある場合、要求が受け入れられ、ＲＮＣおよびノードＢは、ＵＥとの接続の確立のために必要とされるリソースを割り振り、ＵＥと、セル中のノードＢとの間の接続を確立する。そうではなくて、ノードＢが、現在多くのＵＥによりアクセスされ、利用可能なリソースを有していない場合、要求は拒絶される。このケースにおいて、ＲＮＣは、新しいセルにおいてＵＥに対する無線リンクを確立することを拒否する。ＵＥとセルとの間に、無線接続が無事に確立される場合、アップリンク送信電力制御（ＴＰＣ）コマンドまたはダウンリンク電力調整指示による、内部リング電力制御および外部リング電力制御を利用することにより、セルは、適正な範囲内になるようにＵＥのアップリンクチャネル送信電力を制御でき、それにより、ＵＥがオーバラップエリアにあり、ソフトハンドオーバの下にあるとき、ＵＥは、隣接セルとの干渉を生じさせない。
【００１３】
しかしながら、実際の適用において、ＵＥがソフトハンドオーバ状態にあるとき、先行技術における既存のアップリンク送信電力制御方法は、ソフトハンドオーバに関わるオーバラップエリアが属するセルとの干渉を効果的に回避できないかもしれず、ＬＴＥ進化ネットワークに対して適用できない。
【００１４】
本発明者は、この状況に対する主な理由が次の点にあることを見つけた。先行技術においては、ＵＥのアップリンクチャネル送信電力を制御するために、ノードＢは、最初にＵＥに対する無線接続を確立しなければならない。しかしながら、隣接セル中のノードＢのアップリンク復調リソースが限定されていることから、ソフトハンドオーバに関わるいくつかのセルは、ＵＥとの無線接続を確立できないかもしれない。そのケースにおいて、ノードＢは、ＵＥのアップリンクチャネル送信電力を制御できず、それゆえに、ＵＥのアップリンクチャネル送信電力は非常に高く、セルとの干渉を生じさせるかもしれず、それにより、セルの劣化したシステム性能と、システムの不安定性の危険とを招くかもしれない。
【００１５】
さらに、ＬＴＥ進化プロセスにおいて、既存のネットワークにおけるＲＮＣ機能は、ｅノードＢと、より高い層上のノード（例えば、ＧＷ）とに分配されている。このような状況において、図２中で示したように、ＵＥが何らかのオーバラップエリアにおいてデータを送信するとき、ＵＥは、１つのセル２０１中のノードＢとの無線接続を保つことができるだけであり、一方、オーバラップエリアを有する他のセル２０２および２０３は、アップリンクチャネル送信電力を制御する先行技術により、ＵＥとの無線接続を確立できず、それゆえに、隣接セルとのＵＥの干渉を回避できない。
【発明の概要】
【００１６】
本発明は、移動通信システムと、移動通信システムにおける隣接セル干渉抑制方法および基地局とを提供し、本発明により、基地局は、システムの安定性と、高速ディスパッチングにおける精度とを向上させることが可能になる。
【００１７】
移動通信システムにおける隣接セル干渉抑制方法は、
ＵＥに対して確立される非担当無線リンクにおいて、セル中のアップリンク負荷に対するＵＥの寄与の推定のためのアップリンクチャネルと、ＵＥの送信電力の制御のためのダウンリンクチャネルとを構成することと、
アップリンクチャネルを通して受信した信号にしたがって、セル中のアップリンク負荷に対するＵＥの寄与を推定することと、推定結果に基づいて、ダウンリンクチャネルにより、ＵＥの送信電力を制御することとを含む。
【００１８】
基地局は、
ＵＥに対して確立される非担当無線リンクにおいて、セル中のアップリンク負荷に対するＵＥの寄与の推定のためのアップリンクチャネルと、ＵＥの送信電力の制御のためのダウンリンクチャネルとを確立するように構成されている第１のチャネル確立モジュールと、
第１のチャネル確立モジュールにより確立されたアップリンクチャネルを通して受信した信号により、セル中のアップリンク負荷に対するＵＥの寄与を推定するように構成されている推定モジュールと、
推定モジュールにより提供される推定結果に基づいて、ダウンリンクチャネルにより、ＵＥの送信電力を制御するように構成されている制御モジュールとを含む。
【００１９】
移動通信システムは、ＵＥと基地局とを含み、移動通信システムにおいて、基地局は、
ＵＥに対して確立される非担当無線リンクにおいて、セル中のアップリンク負荷に対するＵＥの寄与の推定のためのアップリンクチャネルと、ＵＥの送信電力の制御のためのダウンリンクチャネルとを確立するように構成されている第１のチャネル確立モジュールと、
第１のチャネル確立モジュールにより確立されたアップリンクチャネルを通して受信した信号に基づいて、セル中のアップリンク負荷に対するＵＥの寄与を推定するように構成されている推定モジュールと、
推定モジュールにより提供される推定結果に基づいて、ダウンリンクチャネルにより、ＵＰの送信電力を制御するように構成されている制御モジュールとを含む。
【００２０】
本発明の実施形態において、基地局によりＵＥに対して確立される非担当無線リンクにおいて、制御プレーン接続だけがＵＥに対して確立され、セル中のアップリンク負荷に対するＵＥの寄与が、ＵＥに対して確立されたアップリンクチャネルにより推定され、それにより、アップリンク負荷に対する隣接セル中のＵＥの寄与が予測可能になり、ＵＥの送信電力は、ＵＥに対して確立されたダウンリンクチャネルにより、推定結果に基づいて制御でき、それにより、オーバラップエリアが属している隣接セルからの干渉を有効に抑制でき、システムの安定性と、基地局による高速ディスパッチングにおける精度とを向上させることができる。
【図面の簡単な説明】
【００２１】
【図１】図１は、先行技術における、ＷＣＤＭＡネットワークでの、オーバラップエリア中のＵＥと、ノードＢとの間の接続の概略図である。
【図２】図２は、先行技術における、ＬＴＥ進化ネットワークでの、オーバラップエリア中のＵＥと、ノードＢとの間の接続の概略図である。
【図３】図３は、本発明にしたがって、移動通信システムにおいて隣接セル干渉を抑制する干渉抑制方法における、オーバラップエリア中のＵＥと、ノードＢとの間の接続の概略図である。
【図４】図４は、本発明の第１の実施形態にしたがって、移動通信システムにおいて隣接セル干渉を抑制する干渉抑制方法のフロー図である。
【図５】図５は、本発明の第２の実施形態にしたがって、移動通信システムにおいて隣接セル干渉を抑制する干渉抑制方法のフロー図である。
【図６】図６は、本発明の第３の実施形態にしたがった、ノードＢの構造ブロック図である。
【図７】図７は、本発明の第４の実施形態にしたがった、ノードＢの構造ブロック図である。
【実施形態の詳細な説明】
【００２２】
以下に、添付図面に関連して、本発明の実施形態をさらに詳細に説明する。
【００２３】
本発明の１つの実施形態において、隣接セルのオーバラップエリア中で、ＵＥに対してノードＢにより確立される非担当無線リンクは、制御プレーン接続だけを含み、セルのアップリンク負荷に対するＵＥの寄与が、制御プレーン接続により推定され、ＵＥの送信電力が、制御プレーン接続により制御される。
【００２４】
図３中で示したように、ＵＥは、第１のセル３１と、第２のセル３２と、第３のセル３３とのオーバラップリアにあり、それぞれの３つのセル中のノードＢとの無線リンクを確立する。ＵＥに対して、第１のセルは、担当セルであり、アップリンクチャネルとダウンリンクチャネルの両方を含む担当無線リンクが、ＵＥと、第１のセル３１中の第１のノードＢ３１１との間で確立される。ＵＥに対して、第２のセル３２と第３のセル３３は、非担当セルであり、制御プレーンにおけるアップリンクチャネルとダウンリンクチャネルとのみを含む非担当無線リンクが、ＵＥと、第２のセル３２中の第２のノードＢ３２２との間で、および、ＵＥと、第３のセル３３中の第３のノードＢ３３３との間で、それぞれ確立される。第２のノードＢ３２２を例にとると、非担当無線リンクを確立する際に、第２のノードＢ３２２は、セル２中のアップリンク負荷に対するＵＥの寄与の推定のために設計されているアップリンクチャネルと、ＵＥの送信電力の制御のために設計されているダウンリンクチャネルとのみを確立する。第２のノードＢ３２２は、アップリンクチャネルを通して受信した信号に基づいて、セル２中のアップリンク負荷に対するＵＥの寄与を推定し、推定結果に基づいて、ダウンリンクチャネルを通してＵＥの送信電力を制御する。それゆえに、無線リンクの確立に対して必要なリソースが低減される一方で、オーバラップエリアが属する隣接からの干渉を有効に抑制でき、したがって、システムの安定性と、ノードＢによる高速ディスパッチングにおける精度とを向上させることができる。
【００２５】
以下に、本発明の第１の実施形態にしたがった、移動通信システムにおける隣接セル干渉抑制方法を記述する。
【００２６】
図４中で示したように、
ステップ４１０において、ノードＢがＵＥからソフトハンドオーバ要求を受信するとき、ノードＢは、ＵＥに対する非担当無線リンクを確立する。
【００２７】
非担当無線リンクは、（Ｅ−ＤＣＨと略される）拡張専用チャネルを含む無線リンクである。ノードＢは、セル中のアップリンク負荷に対するＵＥの寄与の推定のために設計されているアップリンクチャネル（例えば、アップリンクＤＰＣＣＨまたはアップリンクＥ−ＤＰＣＣＨ）と、ＵＥの送信電力の制御のために設計されているダウンリンクチャネル（例えば、ダウンリンクＥ−ＲＧＣＨ、Ｆ−ＤＰＣＨ、またはＤＰＤＣＨ）とのみを無線リンクにおいて設定する。実際の適用において、ＵＥの送信電力を制御するために非担当セルにより使用されるダウンリンクチャネルは、ダウンリンクＥ−ＲＧＣＨである。同様に、ノードＢの実際の性能次第で、Ｆ−ＤＰＣＨおよびＤＰＤＣＨのうちの１つを、選択および確立できる。ＵＥに対してノードＢにより確立される非担当無線リンクは、制御プレーン接続だけを含むことから、Ｅ−ＤＰＤＣＨ復調リソースが使い果たされている場合でさえ、ノードＢは、制御プレーン接続を通してＵＥの送信電力を制御でき、その下位セルとの干渉を回避できる。
【００２８】
ステップ４２０において、現在使用されているリソースの量が、予め設定されているしきい値を超えているかどうかをノードＢが判断し、超えていない場合、ノードＢは、ステップ４３０に進み、そうではなく、超えている場合、ノードＢは、直接ステップ４４０に行く。
【００２９】
ステップ４３０において、ノードＢは、無線リンクにおいて、制御チャネルおよびデータチャネルの両方を設定する。
【００３０】
ノードＢは、ステップ４１０において設定される制御チャネルのそれぞれと、アップリンクデータを受信するためのＥ−ＤＰＤＣＨとを含む、制御チャネルおよびデータチャネルの両方を無線リンクにおいて設定して、高速アップリンクデータパケットアクセスのための復調リソースをフルに使用し、リソースの浪費を回避する。チャネルを設定する特定の方法は、先行技術の、拡張ＤＣＨにおける関連チャネルを設定する方法を参照して実行でき、ここではさらに記述しない。
【００３１】
ステップ４４０において、ノードＢは、ＤＰＣＣＨとアップリンクＥ−ＤＰＣＣＨとを通して受信した信号に基づいて、セル中のアップリンク負荷に対するＵＥの寄与を推定する。
【００３２】
特に、ノードＢは、アップリンクＤＰＣＣＨのパイロット周波数情報に基づいて、アップリンクＤＰＣＣＨのＳＩＲDPCCHを推定し、その特定の方法は、先行技術における方法と同じである。
【００３３】
現在のアップリンクＥ−ＤＰＣＣＨ中で示される、アップリンクＥ−ＤＰＤＣＨのデータ送信フォーマットシグナリング情報と、ネットワークに対して設定されている基準送信フォーマット情報とに基づいて、ノードＢは、アップリンクＤＰＣＣＨに対するアップリンクＥ−ＤＰＤＣＨの電力制御利得係数βE-DPDCHを取得する。その特定の方法は、先行技術における方法と同じである。
【００３４】
次に、ノードＢは、ＵＥのアップリンクＤＰＣＣＨの取得したＳＩＲDPCCHと、アップリンクＥ−ＤＰＤＣＨに対するアップリンクＥ−ＤＰＤＣＨの電力制御利得係数βE-DPDCHと、ネットワーク中で予め設定されている、アップリンクＤＰＣＣＨの利得係数パラメータβDPCCHとに基づいて、数式
【数１】
2010500793.tif 000021
【００３５】
を使用して、アップリンクＥ−ＤＰＤＣＨのＳＩＲE-DPDCHを計算する。
【００３６】
次に、ノードＢは、無線ネットワーク中で予め設定されている、アップリンクＤＰＣＣＨに対するアップリンクＥ−ＤＰＣＣＨの電力偏差パラメータΔE-DPCCHと、アップリンクＤＰＣＣＨの利得係数パラメータβDPCCHとに基づいて、数式
【数２】
2010500793.tif 000022
【００３７】
を使用して、アップリンクＤＰＣＣＨに対するアップリンクＥ−ＤＰＣＣＨの電力制御利得係数βE-DPCCHを計算する。ノードＢはさらに、電力制御利得係数βE-DPCCHと、アップリンクＤＰＣＣＨの推定されたＳＩＲDPCCHと、ネットワーク中で予め設定されている、アップリンクＤＰＣＣＨの利得係数βDPCCHとに基づいて、数式
【数３】
2010500793.tif 000023
【００３８】
を使用して、アップリンクＥ−ＤＰＣＣＨのＳＩＲE-DPCCHを取得する。
【００３９】
ＵＥのアップリンクデータ送信チャネルが、アップリンクＥ−ＤＰＤＣＨのみを含む場合、ノードＢは、それぞれ、ＤＰＣＣＨ、Ｅ−ＤＰＤＣＨ、およびＥ−ＤＰＣＣＨの、計算された、ＳＩＲDPCCH、ＳＩＲE-DPDCH、およびＳＩＲE-DPCCHに基づいて、数式
【数４】
2010500793.tif 000024
【００４０】
を使用して、セル中のアップリンク負荷に対するＵＥの寄与を取得する。ＵＥのアップリンクデータ送信チャネルが、アップリンクＥ−ＤＰＤＣＨとアップリンクＤＰＤＣＨとを含む場合、ノードＢは、上で計算したＥ−ＤＰＣＣＨのＳＩＲE-DPCCHと、アップリンクＤＰＣＣＨに対するアップリンクＥ−ＤＰＤＣＨの電力制御利得係数ＵＥβE-DPDCHと、ネットワーク中で予め設定されているアップリンクＤＰＤＣＨの利得係数パラメータβDPDCHとに基づいて、数式
【数５】
2010500793.tif 000025
【００４１】
を使用して、アップリンクＤＰＤＣＨのＳＩＲDPDCHを計算する必要がある。上で計算したような、ＳＩＲDPDCHと、ＳＩＲDPCCHと、ＳＩＲE-DPDCHと、ＳＩＲE-DPCCHとに基づいて、ノードＢは、数式
【数６】
2010500793.tif 000026
【００４２】
を使用して、セル中のアップリンク負荷に対するＵＥの寄与を取得する。
【００４３】
ステップ４５０において、ノードＢは、セル中のアップリンク負荷に対するＵＥの寄与の推定結果に基づいて、ダウンリンクＥ−ＲＧＣＨを介して、ＵＥの送信電力を制御する。
【００４４】
特に、ノードＢが、セル中のアップリンク負荷とのＵＥ干渉が非常に高いと推定する場合、ノードＢは、ダウンリンクＥ−ＲＧＣＨを介して相対的許可（ＲＧ）コマンドを送信して、アップリンクデータ送信レートを減少させるようにＵＥに指示し、それにより、セルとのアップリンクデータ送信の干渉が低減される。そのため、セル中の他のＵＥの送信電力を向上させる必要がなく、それゆえに、システムの安定性と、加入者のデータ送信の安定性とを保証でき、システムの容量を向上させることができる。そうではなくて、ノードＢが、セル中のアップリンク負荷とのＵＥ干渉があまり高くないと推定する場合、ノードＢは、ダウンリンクＥ−ＲＧＣＨ指示メッセージを送信する必要はない。
【００４５】
本発明の実施形態において、無線リンクの確立に必要なリソースを低減させるために、確立される非担当無線リンクがデータ送信用のチャネルを含まなくてもよいことに言及する価値がある。それゆえに、ＵＥがアップリンク担当セルの更新のためにソフトハンドオーバを実行するとき、ＵＥとターゲットセルとの間の無線リンクが、セル中のアップリンク負荷に対するＵＥの寄与を推定するためのアップリンクチャネルと、ＵＥの送信電力を制御するためのダウンリンクチャネルとのみを含むかどうかを決定する必要がある。無線リンクがこのようなアップリンクチャネルとダウンリンクチャネルとのみを含む場合、ＵＥがターゲットセルに切り換えられた後に、確実にＵＥが正常に通信できるように、ソフトハンドオーバが開始される前に、データ送信用の関係チャネル（例えば、アップリンクＥ−ＤＰＤＣＨ）を無線リンク中に追加することが必要である。
【００４６】
本発明の第２の実施形態にしたがう、移動通信システムにおける隣接セル干渉抑制方法は、本質的に、第１の実施形態にしたがう方法と同じである。しかしながら、適用の環境の点において、第１の実施形態は主として、アップリンクマクロダイバーシティ技術を用いるネットワーク中で適用されるのに対して、第２の実施形態は主として、アップリンクマクロダイバーシティ技術がキャンセルされるネットワーク中で適用される。
【００４７】
ＬＴＥ進化ネットワークにおいて、アップリンクマクロダイバーシティは、システムアーキテクチャ中で、すなわち、ネットワーク中でキャンセルされ、オーバラップエリア中のＵＥは、その担当セルとのデータ送信プレーン接続のみを確立できる。この変化を考慮して、本実施形態により、非担当セル中のノードＢ（ｅノードＢとも呼ばれる）は、ＵＥとノードＢとの間に制御プレーン接続のみを確立することにより、オーバラップエリアが属する隣接セル中のＵＥの送信電力を制御することが可能になり、それにより、オーバラップエリアが属する隣接セル中のＵＥからの、ローカルセルとの干渉が回避される。
【００４８】
特に図５中で示したように、
ステップ５１０において、ネットワーク側が、ＵＥからの隣接セル測定報告に基づいて、ＵＥに対する非担当無線リンクを確立する必要があるノードＢを決定し、ＵＥに対する非担当無線リンクを確立するようにノードＢに指示する。
【００４９】
次に、ステップ５２０において、ノードＢは、ＵＥに対する非担当無線リンクを確立し、セル中のアップリンク負荷に対するＵＥの寄与の推定のためのアップリンクチャネルと、ＵＥの送信電力の制御のためのダウンリンクチャネルとのみが、無線リンク中で設定される。
【００５０】
次に、プロセスはステップ５３０に進み、ステップ５３０において、ノードＢは、アップリンクチャネルを通して受信した信号に基づいて、セル中のアップリンク負荷に対するＵＥの寄与を推定する。
【００５１】
特定の推定方法は、第１の実施形態における推定方法と類似しており、ここでは記述しない。本実施形態においては、非担当ノードＢとＵＥとの間でデータ送信用の関係チャネルを確立する必要がないことから、アップリンクマクロダイバーシティ技術がシステムアーキテクチャからキャンセルされる場合でさえ、ＵＥとの、確立された制御プレーン接続により、ノードＢは依然として、オーバラップエリアが属する隣接セルのＵＥからの、ローカルセルとの干渉を正確に推定できる。非担当ノードＢとＵＥとの間で、制御プレーン接続のみが確立されることから、加入者プレーン中のリソース（例えば、非担当ノードＢリソースおよびｌｕｂ送信、など）が占有されず、それゆえに、より少ないハードウェアリソースの消費により、システム性能を向上させることができ、システムの安定性を達成できる。
【００５２】
次に、プロセスはステップ５４０に進み、ステップ５４０において、ステップ５４０は、推定結果にしたがって、ダウンリンクチャネルにより、ＵＥの送信電力を制御する。
【００５３】
ノードＢは、セル中の他のＵＥの送信電力を増加させる必要はなく、それゆえに、システムの安定性および加入者のデータ送信の安定性を保証でき、システムの容量を向上させることができる。
【００５４】
図６は、本発明の第３の実施形態にしたがった、ノードＢの構造ブロック図である。先行技術における基本モジュールに加えて、本発明の第３の実施形態におけるノードＢは、第１のチャネル確立モジュール６１０と、推定モジュール６２０と、制御モジュール６３０と、第１の判断モジュール６４０と、第２のチャネル確立モジュール６５０とをさらに含む。
【００５５】
第１のチャネル確立モジュール６１０は、ＵＥに対する非担当無線リンクを確立するように構成されており、非担当無線リンクにおいて、セル中のアップリンク負荷に対するＵＥの寄与の推定のためのアップリンクチャネルと、ＵＥの送信電力の制御のためのダウンリンクチャネルとのみが構成される。
【００５６】
推定モジュール６２０は、第１のチャネル確立モジュール６１０により確立されたアップリンクチャネルを通して受信した信号に基づいて、セル中のアップリンク負荷に対するＵＥの寄与を推定するように構成されている。
【００５７】
制御モジュール６３０は、推定モジュール６２０の推定結果に基づいて、ダウンリンクチャネルを介して、ＵＥの送信電力を制御するように構成されている。
【００５８】
第１の判断モジュール６４０は、ＵＥとターゲットセルとの間で確立された無線リンクが、セル中の負荷に対するＵＥの寄与の推定のためのアップリンクチャネルと、ＵＥの送信電力の制御のためのダウンリンクチャネルとのみを含んでいるかどうかを判断するように構成されている。
【００５９】
第２のチャネル確立モジュール６５０は、第１の判断モジュール６４０から指示を受け取り、無線リンクにおいて、データ送信用の関係チャネルを追加するように構成されている。
【００６０】
無線リンクは、拡張専用チャネルを含むリンクである。アップリンクチャネルは、アップリンク専用物理制御チャネルと、アップリンク拡張専用物理制御チャネルとを含み、ダウンリンクチャネルは、ダウンリンク相対的許可チャネル、ダウンリンクフラクショナル専用物理チャネル、またはダウンリンク専用物理チャネルを含む。
【００６１】
特に、ノードＢがオーバラップエリア中のＵＥから切り換え要求を受信するとき、ノードＢは、ＵＥに対する非担当無線リンクを確立するように第１のチャネル確立モジュール６１０に指示する。第１のチャネル確立モジュール６１０は、セル中のアップリンク負荷に対するＵＥの寄与の推定のためのアップリンクチャネルと、ＵＥの送信電力の制御のためのダウンリンクチャネルとのみを確立する。次に、推定モジュール６２０は、第１のチャネル確立モジュール６１０により確立されたアップリンクチャネルを通して受信した信号に基づいて、セル中のアップリンク負荷に対するＵＥの寄与を推定し、推定結果を制御モジュール６３０に指示する。制御モジュール６３０は、推定モジュール６２０により提供される推定結果に基づいて、ダウンリンクチャネルを介して、ＵＥの送信電力を制御し、それにより、オーバラップエリアが属している隣接セルからの干渉が有効に抑制され、セル中の他のＵＥの送信電力を増加させることなく、ノードＢによる高速ディスパッチングにおける精度が向上し、システムの安定性および加入者のデータ送信レートの安定性を保証できる。
【００６２】
さらに、本発明の実施形態において、無線リンクの確立に必要なリソースを低減させるために、確立される非担当無線リンクは、データ送信用のチャネルを含まない。それゆえに、ＵＥがソフトハンドオーバを実行するとき、ＵＥとターゲットセルとの間の無線リンクが、セル中のアップリンク負荷に対するＵＥの寄与の推定のためのアップリンクチャネルと、ＵＥの送信電力の制御のためのダウンリンクチャネルとのみを含むかどうかを、第１の判断モジュール６４０により判断する必要がある。無線リンクが、アップリンクチャネルとダウンリンクチャネルとのみを含む場合、ＵＥがターゲットセルに切り換えられた後に、確実にＵＥが正常に通信できるように、第１の判断モジュール６４０は、データ送信用の関係チャネルを無線リンクにおいて追加するように第２のチャネル確立モジュール６５０に指示する。
【００６３】
図７は、本発明の第４の実施形態にしたがった、ノードＢの構造ブロック図を示す。第３の実施形態中のモジュールに加えて、本発明の第４の実施形態は、第２の判断モジュール６６０と、第３のチャネル確立モジュール６７０とをさらに含む。
【００６４】
第２の判断モジュール６６０は、ＵＥにより現在使用されているリソースの量が予め設定されているしきい値を超えているかどうかを判断するように構成されている。
【００６５】
ＵＥにより現在使用されているリソースの量が予め設定されているしきい値を超えていないと第２の判断モジュール６６０が決定するとき、第３のチャネル確立モジュール６７０は、確立される非担当無線リンクにおいて、制御チャネルおよびデータチャネルの両方を構成するように構成されている。
【００６６】
本発明の第４の実施形態の他のモジュールに対しては、第３の実施形態に関する記述が参照できる。これらのモジュールは、ここではさらに記述しない。
【００６７】
本発明の実施形態にしたがって、ノードＢがＵＥに対する非担当無線リンクを確立するとき、制御プレーン接続だけが確立され、セル中のアップリンク負荷に対するＵＥの寄与が、確立されたアップリンクチャネルにより推定され、それによりアップリンク負荷に対する隣接セル中のＵＥの寄与が予測可能になり、ＵＥの送信電力は、推定結果に基づいて、確立されたダウンリンクチャネルにより制御でき、それにより、オーバラップエリアが属している隣接セルからの干渉を有効に抑制でき、システムの安定性と、ノードＢによる高速ディスパッチングにおける精度とを向上させることができる。
【００６８】
非担当無線リンクが、ハンドオーバ中に担当無線リンクになる場合、ＵＥが新しい担当無線リンクに切り換えられた後に、確実にＵＥが正常に通信できるように、データを搬送するチャネルが無線リンクに追加される。
【００６９】
既存のＨＳＵＰＡシステムに対して、ノードＢが隣接セル中のＵＥからソフトハンドオーバ要求を受信するとき、ノードＢは、制御プレーン接続のみを含む非担当無線リンクをＵＥに対して確立する。それゆえに、Ｅ−ＤＰＤＣＨ復調リソースが使い果たされている場合でさえ、セル中のアップリンク負荷に対する、ソフトハンドオーバに関わるオーバラップエリア中のＵＥの寄与は、確立された制御プレーン接続により正確に推定できる。ソフトハンドオーバに関わるオーバラップエリア中のＵＥのアップリンク負荷が非常に高い場合、無線リンクが確立されたＵＥの送信電力を増加させることなく、ダウンリンク制御チャネルを使用して、アップリンクデータ送信レートを低減させるようにＵＥに指示できる。それゆえに、方法は、システムの安定性と、加入者データ送信レートの安定性とを保証でき、システムの容量を向上させることができる。
【００７０】
さらに、ノードＢがＵＥに対する非担当無線リンクを確立するとき、ノードＢは、Ｅ−ＤＰＤＣＨ復調リソースの現在の消費状況に基づいて判断できる。フリーのＥ−ＤＰＤＣＨ復調リソースが比較的少ない場合、制御チャネルのみが確立される。フリーのＥ−ＤＰＤＣＨ復調リソースが比較的多い場合、アップリンクデータを受信するＥ−ＤＰＤＣＨをＵＥに対して確立して、アップリンク高速パケットによりアクセスされる復調リソースをフルに使用し、リソースの浪費を回避できる。
【００７１】
研究中の拡張高速パケットアクセス（Ｅ−ＨＳＰＡ）技術に対して、アップリンクマクロダイバーシティ技術が、システムアーキテクチャ中でキャンセルされる場合でさえ、非担当ノードＢはなお、ネットワーク側からの通知に基づいて、ＵＥとの制御プレーン接続のみを確立して、オーバラップエリアが属している隣接セル中のＵＥからの、ローカルセルとの干渉を正確に推定し、ダウンリンク制御チャネルにより、ＵＥのアップリンク送信電力を調停および調整し、干渉制御の目的を達成できる。さらに、制御プレーン接続のみが確立されることから、加入者プレーンにおけるリソース（例えば、ノードＢリソースおよびｌｕｂ送信リソースなど）が占有されず、それゆえに、より少ないハードウェアリソースの消費により、システムの性能を向上させることができ、システムの安定性を達成できる。
【００７２】
いくつかの例示的な実施形態に関連して、本発明を図示および記述してきたが、本発明は、このような実施形態に限定されない。特許請求の範囲により規定される、本発明の精神および範囲から逸脱することなく、さまざまなバリエーションおよび修正が実施できることを当業者は理解すべきである。
【手続補正２】
【補正対象書類名】特許請求の範囲
【補正対象項目名】全文
【補正方法】変更
【補正の内容】
【特許請求の範囲】
【請求項１】
移動通信システムにおける隣接セル干渉抑制方法において、
セル中のユーザ機器（ＵＥ）に対して確立される非担当無線リンクにおいて、前記セル中のアップリンク負荷に対する前記ＵＥの寄与の推定のためのアップリンクチャネルと、前記ＵＥの送信電力の制御のためのダウンリンクチャネルとを構成するステップと、
前記アップリンクチャネルを通して受信した信号に基づいて、前記セル中のアップリンク負荷に対する前記ＵＥの寄与を推定するステップと、
推定結果に基づいて、前記ダウンリンクチャネルにより、前記ＵＥの送信電力を制御するステップとを含む方法。
【請求項２】
前記アップリンクチャネルは、アップリンク専用物理制御チャネル（ＤＰＣＣＨ）と、アップリンク拡張専用物理制御チャネル（Ｅ−ＤＰＣＣＨ）とを含み、
前記ダウンリンクチャネルは、ダウンリンク相対的許可チャネル（ＲＧＣＨ）を含む請求項１記載の方法。
【請求項３】
前記ダウンリンクチャネルは、ダウンリンクフラクショナル専用物理チャネル（Ｆ−ＤＰＣＨ）またはダウンリンク専用物理チャネル（ＤＰＣＨ）をさらに含む請求項１記載の隣接セル干渉抑制方法。
【請求項４】
前記非担当無線リンクが前記ＵＥに対して確立される前に、前記ＵＥからソフトハンドオーバ要求を受信することをさらに含む請求項２記載の方法。
【請求項５】
前記ＵＥに対して確立される非担当無線リンクにおいてチャネルを構成するステップは、
前記ＵＥにより現在使用されているリソースの量が、予め定められているしきい値を超えていない場合、前記ＵＥに対して確立される非担当無線リンクにおいて、制御チャネルとデータチャネルの両方を構成することを含む請求項４記載の方法。
【請求項６】
ネットワーク側において、前記ＵＥからの隣接セル測定報告に基づいて、前記ＵＥに対する非担当無線リンクを確立する必要がある基地局を決定することと、
前記基地局に指示して、前記ＵＥに対する非担当無線リンクを確立させることとをさらに含む請求項１記載の方法。
【請求項７】
前記ＵＥとターゲットセルとの間の無線リンクが、前記セル中のアップリンク負荷に対する前記ＵＥの寄与の推定のためのアップリンクチャネルと、前記ＵＥの送信電力の制御のためのダウンリンクチャネルとのみを含む場合、前記ＵＥが切り換えられるときに、前記無線リンクにおいて、データ送信のためのチャネルを構成することをさらに含む請求項１ないし６のいずれか１項記載の方法。
【請求項８】
前記無線リンクは、拡張専用チャネル（Ｅ−ＤＣＨ）を含み、
前記データ送信用の関係チャネルは、アップリンク拡張専用物理データチャネル（Ｅ−ＤＰＤＣＨ）を含む請求項６記載の方法。
【請求項９】
前記ＵＥに対するアップリンクチャネルが、アップリンク拡張専用物理データチャネル（Ｅ−ＤＰＤＣＨ）である場合、前記アップリンク負荷に対する寄与は、
【数１】
2010500793.tif 000027
に等しく、
前記ＵＥに対するアップリンクチャネルが、アップリンク拡張専用物理データチャネル（Ｅ−ＤＰＤＣＨ）およびアップリンク専用物理データチャネルである場合、前記アップリンク負荷に対する寄与は、
【数２】
2010500793.tif 000028
に等しく、
ＳＩＲDPCCHは、前記アップリンク専用物理制御チャネル（ＤＰＣＣＨ）のＳＩＲであり、ＳＩＲE-DPCCHは、前記アップリンク拡張専用物理制御チャネル（Ｅ−ＤＰＣＣＨ）のＳＩＲであり、ＳＩＲE-DPDCHは、前記アップリンク拡張専用物理データチャネル（Ｅ−ＤＰＤＣＨ）のＳＩＲであり、ＳＩＲDPDCHは、前記アップリンク専用物理データチャネル（ＤＰＤＣＨ）のＳＩＲである請求項４ないし６のいずれか１項記載の方法。
【請求項１０】
基地局において、
セル中のＵＥに対して確立される非担当無線リンクにおいて、前記セル中のアップリンク負荷に対する前記ＵＥの寄与の推定のためのアップリンクチャネルと、前記ＵＥの送信電力の制御のためのダウンリンクチャネルとを確立するように構成されている第１のチャネル確立モジュールと、
前記第１のチャネル確立モジュールにより確立された前記アップリンクチャネルを通して受信した信号に基づいて、前記セル中のアップリンク負荷に対する前記ＵＥの寄与を推定するように構成されている推定モジュールと、
前記推定モジュールにより提供される推定結果に基づいて、前記ダウンリンクチャネルにより、前記ＵＥの送信電力を制御するように構成されている制御モジュールとを具備する基地局。
【請求項１１】
前記ＵＥが切り換えられるとき、前記ＵＥとターゲットセルとの間で確立される無線リンクが、前記セル中のアップリンク負荷に対する前記ＵＥの寄与の推定のためのアップリンクチャネルと、前記ＵＥの送信電力の制御のためのダウンリンクチャネルとのみを含んでいるかどうかを判断するように構成されている第１の判断モジュールと、
前記第１の判断モジュールからの指示にしたがって、前記無線リンクにおいて、前記ＵＥに対するデータ送信用のチャネルを確立するように構成されている第２のチャネル確立モジュールとをさらに具備する請求項１０記載の基地局。
【請求項１２】
前記無線リンクは、拡張専用チャネルを含み、前記データ送信用の関係チャネルは、アップリンク拡張専用物理データチャネルを含む請求項１１記載の基地局。
【請求項１３】
前記ＵＥにより現在使用されているリソースの量が、予め定められているしきい値を超えているかどうかを判断するように構成されている第２の判断モジュールと、
前記ＵＥにより現在使用されているリソースの量が、前記予め定められているしきい値を超えていないと前記第２の判断モジュールが決定する場合、前記確立される非担当無線リンクにおいて、制御チャネルとデータチャネルの両方を設定するように構成されている第３のチャネル確立モジュールとをさらに具備する請求項１０記載の基地局。
【請求項１４】
前記無線リンクは、拡張専用チャネルを含み、
前記アップリンクチャネルは、アップリンク専用物理制御チャネル（ＤＰＣＣＨ）と、アップリンク拡張専用物理制御チャネル（Ｅ−ＤＰＣＣＨ）とを含み、
前記ダウンリンクチャネルは、ダウンリンク相対的許可チャネル（ＲＧＣＨ）を含む請求項１０記載の基地局。
【請求項１５】
ＵＥと基地局とを具備している移動通信システムにおいて、
前記基地局は、
前記ＵＥに対して確立される非担当無線リンクにおいて、セル中のアップリンク負荷に対する前記ＵＥの寄与の推定のためのアップリンクチャネルと、前記ＵＥの送信電力の制御のためのダウンリンクチャネルとを確立するように構成されている第１のチャネル確立モジュールと、
前記第１のチャネル確立モジュールにより確立された前記アップリンクチャネルを通して受信した信号に基づいて、前記セル中のアップリンク負荷に対する前記ＵＥの寄与を推定するように構成されている推定モジュールと、
前記推定モジュールにより提供される推定結果に基づいて、前記ダウンリンクチャネルにより、前記ＵＥの送信電力を制御するように構成されている制御モジュールとを備えている移動通信システム。
【請求項１６】
前記基地局は、
前記ＵＥが切り換えられるとき、前記ＵＥとターゲットセルとの間で確立される無線リンクが、前記セル中のアップリンク負荷に対する前記ＵＥの寄与の推定のためのアップリンクチャネルと、前記ＵＥの送信電力の制御のためのダウンリンクチャネルとのみを含んでいるかどうかを判断するように構成されている第１の判断モジュールと、
前記第１の判断モジュールからの指示にしたがって、前記無線リンクにおいて、前記ＵＥに対するデータ送信用の関係チャネルを確立するように構成されている第２のチャネル確立モジュールとをさらに備えている請求項１５記載のシステム。
【請求項１７】
前記基地局は、
前記ＵＥにより現在使用されているリソースの量が、予め定められているしきい値を超えているかどうかを判断するように構成されている第２の判断モジュールと、
前記ＵＥにより現在使用されているリソースの量が、前記予め定められているしきい値を超えていないと前記第２の判断モジュールが決定する場合、前記確立される非担当無線リンクにおいて、制御チャネルとデータチャネルの両方を設定するように構成されている第３のチャネル確立モジュールとをさらに備えている請求項１５記載のシステム。
【国際調査報告】
2010500793.tif 000029
2010500793.tif 000030
2010500793.tif 000031
2010500793.tif 000032
2010500793.tif 000033